(57)【要約】【課題】運転員の運転操作における負荷の軽減を図ることができるプラントの運転支援システム及びプラントの運転支援方法を提供すること。【解決手段】本実施形態に係るプラントの運転ナビゲーションシステム１００は、プラント１０を制御する制御装置１１と、制御装置１１を介してプラント１０を一括に制御するシステムサーバ２０と、システムサーバ２０と接続されると共に運転員が携帯可能なクライアントタブレット４０と、を備え、システムサーバ２０は、プラント１０の運転操作の手順を規定した運転手順書を記憶する手順書データ記憶部２９と、運転手順書に沿って、該運転手順書の操作ステップの処理を制御装置に実行させる実行制御部と、実行中の操作ステップを含むプラント１０の運転状況をクライアントタブレット４０に表示させる表示制御部２８とを備える。【選択図】図１
2017162259.tif 000002
【特許請求の範囲】
【請求項１】
プラントを制御する制御装置と、前記制御装置を介して前記プラントを一括に制御する全体制御装置と、前記全体制御装置と接続されると共に運転員が携帯可能な情報端末装置と、を備えるプラントの運転支援システムであって、
前記全体制御装置は、前記プラントの運転操作の手順を規定した運転手順書を記憶する記憶部と、
前記運転手順書に沿って、該運転手順書の各操作ステップの処理を前記制御装置に実行させる実行部と、
実行中の操作ステップを含む前記プラントの運転状況を前記情報端末装置に表示させる表示制御部と、
を備えることを特徴とするプラントの運転支援システム。
【請求項２】
前記全体制御装置は、前記運転手順書の操作ステップの処理を実行する際に、運転員の承認を要するか否かを設定する承認設定部を備え、
前記運転手順書の手順が前記承認を要する操作ステップに到達した場合、
前記表示制御部は、前記情報端末装置に、少なくとも該操作ステップを表示させると共に、運転員に承認を促す案内を行うことを特徴とする請求項１に記載のプラントの運転支援システム。
【請求項３】
前記実行部は、運転員が前記承認を行った場合、該操作ステップの処理を前記制御装置に実行させることを特徴とする請求項２に記載のプラントの運転支援システム。
【請求項４】
前記全体制御装置は、前記プラントの運転に関する各種情報を前記制御装置から取得する情報取得部と、取得した情報を用いて報告書を作成する報告書作成部と、を備えることを特徴とする請求項１から３のいずれか１項に記載のプラントの運転支援システム。
【請求項５】
プラントを制御する制御装置と、前記制御装置を介して前記プラントを一括に制御する全体制御装置と、前記全体制御装置と接続されると共に運転員が携帯可能な情報端末装置と、を備えるプラントの運転支援方法であって、
前記全体制御装置の記憶部に前記プラントの運転操作の手順を規定した運転手順書を記憶するステップと、
前記全体制御装置の実行部に前記運転手順書に沿って、該運転手順書の各操作ステップの処理を前記制御装置に実行させるステップと、
前記全体制御装置の表示制御部に実行中の操作ステップを含む前記プラントの運転状況を前記情報端末装置に表示させるステップと、
を備えることを特徴とするプラントの運転支援方法。
【請求項６】
前記運転手順書の操作ステップの処理を実行するに際し、運転員の承認を要するか否かを設定するステップと、
前記運転手順書の手順が前記承認を要する操作ステップに到達した場合、前記情報端末装置に、少なくとも該操作ステップを表示させると共に、運転員に承認を促す案内を行うステップと、
を備えることを特徴とする請求項５に記載のプラントの運転支援方法。
【請求項７】
運転員が前記承認を行った場合、該操作ステップの処理を前記制御装置に実行させることを特徴とする請求項６に記載のプラントの運転支援方法。
【発明の詳細な説明】
【技術分野】
【０００１】
本発明は、運転手順書に従って運転操作がなされるプラントの運転支援システム及びプラントの運転支援方法に関する。
【背景技術】
【０００２】
従来、プラントの運転操作は、運転員が監視画面を見ながらプラントの運転状況を監視し、運転状況に応じて必要な操作を判断して該操作を行っていた。このため、運転員の操作の負荷が非常に高くなっていた。また、人手による運転操作はヒューマンエラーを招く要因にもなり、ヒューマンエラーは、プラント運転の信頼性低下や稼働率低下を引き起こす可能性があった。
【０００３】
このため、従来、プラントの運転要領を記載した運転要領書を画面表示してプラントの運転支援を行うプラント運転支援装置が提案されている（例えば、特許文献１参照）。このプラント運転支援装置は、運転要領書の項目ごとに運転員による処置の確認入力を行うチェック情報と、そのチェック入力結果とを画面表示する。このため、運転員は、運転要領書に従って運転操作を行えばよく、さらに、処置を実行したかどうかを容易に確認することができた。
【先行技術文献】
【特許文献】
【０００４】
【特許文献１】特開平１０−１２４１３６号公報
【発明の概要】
【発明が解決しようとする課題】
【０００５】
しかしながら、従来の技術においても、運転員がプラントの運転状況を監視し、運転要領書に従って、プラントの運転操作をすることに変わりはなく、運転員の運転操作の負荷の軽減が十分に図れていないといった問題があった。
【０００６】
本発明は、上記に鑑みてなされたものであって、運転員の運転操作における負荷の軽減を図ることができるプラントの運転支援システム及びプラントの運転支援方法を提供することを目的とする。
【課題を解決するための手段】
【０００７】
上述した課題を解決し、目的を達成するために、本発明に係るプラントの運転支援システムは、プラントを制御する制御装置と、該制御装置を介してプラントを一括に制御する全体制御装置と、全体制御装置と接続されると共に運転員が携帯可能な情報端末装置と、を備え、全体制御装置は、プラントの運転操作の手順を規定した運転手順書を記憶する記憶部と、運転手順書に沿って、該運転手順書の各操作ステップの処理を制御装置に実行させる実行部と、実行中の操作ステップを含むプラントの運転状況を情報端末装置に表示させる表示制御部と、を備えることを特徴とする。
【０００８】
この構成によれば、実行部が運転手順書に沿って、該運転手順書の各操作ステップの処理を制御装置に実行させるため、運転員が運転操作をする必要がなくなり、運転員の運転操作における負荷の軽減を図ることができる。さらに、表示制御部は、実行中の操作ステップを含むプラントの運転状況を情報端末装置に表示させるため、運転員は運転状況の監視に集中することができ、プラント運転の信頼性及び稼働率の向上を実現できる。
【０００９】
また、全体制御装置は、運転手順書の操作ステップの処理を実行する際に、運転員の承認を要するか否かを設定する承認設定部を備え、運転手順書の手順が承認を要する操作ステップに到達した場合、表示制御部は、情報端末装置に、少なくとも該操作ステップを表示させると共に、運転員に承認を促す案内を行ってもよい。また、承認設定部は、運転手順を自動実行するか、運転員の操作とするかを選択できる機能も備える。
【００１０】
また、実行部は、運転員が承認を行った場合、該操作ステップの処理を制御装置に実行させてもよい。また、全体制御装置は、プラントの運転に関する各種情報を制御装置から取得する情報取得部と、取得した情報を用いて報告書を作成する報告書作成部と、を備えてもよい。
【００１１】
また、本発明は、プラントを制御する制御装置と、制御装置を介してプラントを一括に制御する全体制御装置と、全体制御装置と接続されると共に運転員が携帯可能な情報端末装置と、を備えるプラントの運転を支援する運転支援方法であって、全体制御装置の記憶部にプラントの運転操作の手順を規定した運転手順書を記憶するステップと、全体制御装置の実行部に運転手順書に沿って、該運転手順書の各操作ステップの処理を制御装置に実行させるステップと、全体制御装置の表示制御部に実行中の操作ステップを含むプラントの運転状況を情報端末装置に表示させるステップと、を備えることを特徴とする。
【００１２】
また、運転手順書の操作ステップの処理を実行するに際し、運転員の承認を要するか否かを設定するステップと、運転手順書の手順が承認を要する操作ステップに到達した場合、情報端末装置に、少なくとも該操作ステップを表示させると共に、運転員に承認を促す案内を行うステップと、を備えてもよい。また、運転員が承認を行った場合、該操作ステップの処理を制御装置に実行させてもよい。
【発明の効果】
【００１３】
本発明によれば、実行部が運転手順書に沿って、該運転手順書の各操作ステップの処理を制御装置に実行させるため、運転員が運転操作をする必要がなくなり、運転員の運転操作における負荷の軽減を図ることができる。さらに、表示制御部は、実行中の操作ステップを含むプラントの運転状況を情報端末装置に表示させるため、運転員は運転状況の監視に集中することができ、プラント運転の信頼性及び稼働率の向上を実現できる。
【図面の簡単な説明】
【００１４】
【図１】図１は、本実施形態に係るプラントの運転ナビゲーションシステムの機能構成を示す図である。
【図２】図２は、システムサーバ、クライアントタブレット、及び制御装置の動作を示すフローチャートである。
【図３】図３は、クライアントタブレットの画面表示の一例を示す図である。
【発明を実施するための形態】
【００１５】
以下に、本発明に係る実施形態を図面に基づいて詳細に説明する。なお、この実施形態によりこの発明が限定されるものではない。また、実施形態における構成要素には、当業者が置換可能かつ容易なもの、あるいは実質的に同一のものが含まれる。さらに、以下に記載した構成要素は適宜組み合わせることが可能である。
【００１６】
図１は、本実施形態に係るプラントの運転ナビゲーションシステムの機能構成を示す図である。運転ナビゲーションシステム（運転支援システム）１００は、プラントの運転操作を運転員に代わって自動的に実行する。運転ナビゲーションシステム１００は、図１に示すように、複数のプラント１０Ａ，１０Ｂ，１０Ｃをそれぞれ制御する制御装置１１Ａ，１１Ｂ，１１Ｃと、これら制御装置１１Ａ，１１Ｂ，１１Ｃに接続されるサーバ計算機１２と、このサーバ計算機１２に接続されるシステムサーバ（全体制御装置）２０と、このシステムサーバ２０と通信可能に接続されるクライアントタブレット（情報端末装置）４０とを備える。
【００１７】
プラント１０Ａ，１０Ｂ，１０Ｃは、制御対象機器であり、それぞれが異なる操作手順で運転される別種のプラントであってもよいし、同一の操作手順で並行して運転される同種のプラントであってもよい。これらのプラント１０Ａ，１０Ｂ，１０Ｃを区分けする必要がなければ単にプラント１０と示す。制御装置１１Ａ，１１Ｂ，１１Ｃは、上記したプラント１０Ａ，１０Ｂ，１０Ｃの運転をそれぞれ独立して制御する。これら制御装置１１Ａ，１１Ｂ，１１Ｃについても区分けする必要がなければ単に制御装置１１と示す。
【００１８】
サーバ計算機１２は、制御装置１１とシステムサーバ２０とを連携させる機能を有するＯＰＣサーバである。本実施形態では、制御装置１１は、従来からの既存の設備を用いているため、制御装置１１にサーバ計算機１２を介して、システムサーバ２０を接続することにより、既存のシステムに大きな改修を加えることなく、制御装置１１とシステムサーバ２０との連携を実現できる。また、制御装置１１は、プラント１０の運転制御を独立して行うことができるため、例えば、サーバ計算機１２やシステムサーバ２０の保守または故障時にあっても、プラント１０の運転を行うことができる。
【００１９】
システムサーバ２０は、制御装置１１Ａ，１１Ｂ，１１Ｃを介して、プラント１０Ａ，１０Ｂ，１０Ｃをそれぞれ一括して制御する。本実施形態では、制御装置１１Ａ，１１Ｂ，１１Ｃは、各プラント１０Ａ，１０Ｂ，１０Ｃの運転制御などを行い、システムサーバ２０は、制御装置１１Ａ，１１Ｂ，１１Ｃを統括して、自動運転に関する監視及び操作の部分を統合する機能を有する。システムサーバ２０は、図１に示すように、無線通信部２１、制御部２２、承認設定部２３、情報取得部２４、報告書作成部２５及び記憶部２６を備える。
【００２０】
また、クライアントタブレット４０は、運転員が携帯する機器であり、このクライアントタブレット４０を通じて、システムサーバ２０への操作、及び、各プラント１０Ａ，１０Ｂ，１０Ｃの運転状況を監視する。クライアントタブレット４０は、無線通信部４１、情報表示部４２、情報入力部４３及び制御部４４を備える。情報表示部４２は、各種情報が表示される液晶パネルである。情報入力部４３は、液晶パネルに重畳されたタッチ入力部であり、無線通信部４１を通じて、入力された情報はシステムサーバ２０に伝達される。制御部４４はクライアントタブレット４０全体の動作を制御する。
【００２１】
システムサーバ２０の無線通信部２１は、クライアントタブレット４０の無線通信部４１との間で各種情報の通信を行う。制御部２２は、制御装置１１Ａ，１１Ｂ，１１Ｃとそれぞれ通信することにより、各プラント１０Ａ，１０Ｂ，１０Ｃの運転を管理するものであり、実行制御部（実行部）２７と表示制御部２８とを備える。実行制御部２７は、プラント１０Ａ，１０Ｂ，１０Ｃごとに事前に設定された運転手順書に従って、この運転手順書の操作ステップを各制御装置１１Ａ，１１Ｂ，１１Ｃに実行させる。運転手順書は、プラント１０の運転操作の手順を規定した運転プログラムの一種であり、運転手順書の操作ステップには、操作タグやパラメータ確認対象のタグデータが設定されている。実行制御部２７は、これらのタグデータが設定された操作ステップにおいて、制御装置１１Ａ，１１Ｂ，１１Ｃに対して、操作の実行、もしくは、パラメータ（運転に関する各種情報）の取得を実行する。また、運転手順書には、各操作ステップにおける操作事項及び確認事項がテキスト化されて設定されている。このため、例えば、熟練した運転員が作成した操作事項及び確認事項を用いて運転手順書を作成することにより、熟練者の技術を文書として初心者の運転員に伝達することができる。
【００２２】
表示制御部２８は、クライアントタブレット４０の情報表示部４２に各種情報の表示制御を行う。表示制御部２８は、通常状態においては、プラント１０Ａ，１０Ｂ，１０Ｃの運転状態をそれぞれ情報表示部４２に表示させ、運転員の要求があった場合、各プラント１０Ａ，１０Ｂ，１０Ｃの運転の進捗状況を表示させる。また、表示制御部２８は、制御部２２が運転手順書に基づき、運転員に操作要求をした場合には、情報表示部４２に操作を促す案内を行う。具体的には、運転手順書において、運転員の承認を要する操作ステップが事前に設定されており、手順が該操作ステップに到達した場合、表示制御部２８は、この操作ステップを含む運転手順書を情報表示部４２に表示させる。
【００２３】
承認設定部２３は、運転手順書の操作ステップを制御装置１１に実行させる際に、運転員の承認を要するか否かを設定する。操作ステップには、例えば、プラント１０のパラメータ（運転に関する各種情報）の取得や、繰り返し操作のように、比較的簡易な操作ステップと、運転員の判断を伴う重要な操作ステップ（ＨＰ；ホールドポイント）とが混在している。このため、比較的簡易な操作ステップに関しては、実行制御部２７が制御装置１１に指示することでプラント１０の自動運転を実現することができる。また、重要な操作ステップに関しては、運転員の承認を要することで、該操作ステップの確認を確実に行うことができ、プラントの自動運転を安全に実行できる。このように、承認設定部２３は、運転手順書に基づく、各操作ステップを制御装置１１に自動実行させるか、運転員の操作とするかを選択できる機能を備えている。
【００２４】
情報取得部２４は、プラント１０のパラメータ（運転に関する各種情報）を、制御装置１１を通じて取得する。具体的には、運転手順書の操作ステップに設定されたパラメータ確認対象のタグデータに基づき、実行制御部２７が制御装置１１にパラメータ取得要求を指示する。情報取得部２４は、制御装置１１から送信されたパラメータを取得する。報告書作成部２５は、取得したパラメータや、運転手順書に従ってプラントの運転制御情報に基づき、運転報告書（運転日報、運転月報など）や、管理データの帳票を作成する。
【００２５】
記憶部２６は、各種情報を記憶するものであり、手順書データ記憶部２９、運転データ記憶部３０及びユーザ情報記憶部３１を備える。手順書データ記憶部２９は、上記した運転手順書に関するプログラムデータなどが記憶されている。運転データ記憶部３０は、情報取得部２４が取得したプラント１０のパラメータ（運転に関する各種情報）や、報告書作成部２５が作成した運転報告書、帳票などが記憶されている。また、ユーザ情報記憶部３１は、運転員や、各種手続きの承認者に関する情報が記憶されている。
【００２６】
また、システムサーバ２０は、手順書データ記憶部２９に記憶された運転手順書のメンテナンスを行い、手順書内容の見直しや、タグ及びデータアイテムの設定、読込または書込み命令の定義、分岐（判断）条件のプログラム等のメンテナンスを行う機能を有する。また、システムサーバ２０は、運転手順書の使用に関する許諾、運転手順書の変更、及び、運転記録などを電子的に行う電子承認機能を有する。
【００２７】
次に、運転ナビゲーションシステムの動作について説明する。図２は、システムサーバ、クライアントタブレット、及び制御装置の動作を示すフローチャートであり、図３は、クライアントタブレットの画面表示の一例を示す図である。プラント１０の運転が開始されると（ステップＳａ１）、システムサーバ２０の制御部２２は、手順書データ記憶部２９から対応する工程の運転手順書を読み出す（ステップＳａ２）。表示制御部２８は、読み出された運転手順書をクライアントタブレット４０の情報表示部４２に表示させる（ステップＳｂ１）。
【００２８】
情報表示部４２には、図３に示すように、運転手順書５０が表示される。本実施形態では、情報表示部４２には、運転手順書５０の一部として、タイトル５１と、本運転手順書５０を含む操作工程を示す工程フロー５２と、各種の運転操作スイッチ５３と、各種操作スイッチ５４とが表示される。タイトル５１は、運転手順書５０の内容を示すものであり、運転員がタイトルと、これから操作する工程とを確認できるようになっている。
【００２９】
工程フロー５２は、開始から完了までの各操作工程Ｆ１〜Ｆ６を備えている。表示制御部２８は、現在の操作工程Ｆ６を他のものと異なる色で表示する。このため、運転員が現在の操作工程を目視により容易に確認できる。
【００３０】
運転操作スイッチ５３は、情報表示部４２上に形成されたタッチスイッチであり、例えば、「開始」をタッチすると本運転手順書５０による制御が開始される。また、各種操作スイッチ５４も情報表示部４２上に形成されたタッチスイッチであり、例えば、「運転日誌」をタッチすると、運転手順書５０が終了した際に、運転報告書や帳票が作成される。これらの運転操作スイッチ５３及び各種操作スイッチ５４は、情報入力部４３として機能する。
【００３１】
また、情報表示部４２には、運転手順書５０の一部として、作業内容５５、番号図面５６、操作・確認事項５７、確認５８、チェック５９、指示・確認結果６０、ＨＰ６１の各項目が表示される。作業内容５５の欄には、運転手順書５０の手順を示す操作手順フロー６２が表示される。図３の例では、操作手順フロー６２は、３つの操作ステップ６２Ａ〜６２Ｃを備えて構成されており、実行中の操作ステップ６２Ｂは、他の操作ステップ６２Ａ，６２Ｃと異なる色で表示する。このため、運転員が実行中の操作ステップを目視により容易に確認できる。
【００３２】
番号図面５６の欄には、各操作ステップ６２Ａ〜６２Ｃに相当する図面の番号が表示される。操作・確認事項５７の欄には、各操作ステップ６２Ａ〜６２Ｃにおける操作事項及び確認事項が表示される。このため、例えば、不慣れな運転員であっても、操作事項及び確認事項に従うことで確実な操作を行うことができる。
【００３３】
確認５８の欄には、プラント１０のパラメータ（運転に関する各種情報）を入力する入力欄６３が設けられ、この入力欄６３に必要なパラメータが入力される。本実施形態では、パラメータの入力は、システムサーバ２０（表示制御部２８）が自動的に行う。また、チェック５９の欄には、操作ステップ６２Ａ〜６２Ｃの各項目における完了を示すチェック欄６４が設けられる。本実施形態では、チェック欄６４への入力は、システムサーバ２０（表示制御部２８）が、各項目が完了した時点で自動的に行う。
【００３４】
指示・確認結果６０の欄には、各操作ステップ６２Ａ〜６２Ｃの操作が実行された操作日時が入力される。また、ＨＰ（ホールドポイント）６１の欄には、各操作ステップ６２Ａ〜６２Ｃうち、運転員の承認を要すると設定された操作ステップ６２Ｃに、その旨を示すチェックマーク６６が表示される。また、チェックマーク６６が表示された操作ステップ６２Ｃのチェック５９の欄には、運転員による操作がなされる「再開」ボタン６５が表示される。
【００３５】
再び図２に戻り、フローチャートを説明する。運転手順書５０が読み出されると、実行制御部２７は、運転手順書５０の操作手順フロー６２の最初の操作ステップ６２Ａに移行し（ステップＳａ３）、この操作ステップ６２Ａに運転員の承認を要する設定がなされているか否かを判定する（ステップＳａ４）。図３の例では、操作ステップ６２Ａには、承認設定はされていないため（ステップＳａ４；Ｎｏ）、実行制御部２７は、操作ステップ６２Ａの操作内容をプラント１０の制御装置１１に指示し（ステップＳａ５）、指示された制御装置１１は、この操作内容を実行する（ステップＳｃ１）。ここで、例えば、操作ステップの内容に従って、実行制御部２７が制御装置１１にパラメータの取得を指示した場合、制御装置１１は該当するパラメータを取得し、このパラメータをシステムサーバ２０の情報取得部２４に送信する。送信されたパラメータは、運転データ記憶部３０に記憶される。
【００３６】
次に、実行制御部２７は、次の操作ステップがあるか否かを判定し、次の操作ステップがなければ（ステップＳａ６；Ｎｏ）、処理を終了する。一方、次の操作ステップがあれば（ステップＳａ６；Ｙｅｓ）、次の操作ステップに移行（ステップＳａ７）し、処理をステップＳａ４に戻す。
【００３７】
ステップＳａ４において、例えば、操作ステップ６２Ｃのように、承認設定がされている操作ステップに到達した場合（ステップＳａ４；Ｙｅｓ）、表示制御部２８は、クライアントタブレット４０の情報表示部４２に、少なくとも操作ステップ６２Ｃを表示させると共に、運転員への承認要求を表示する（ステップＳｂ２）。具体的には、情報表示部４２に承認を促すメッセージを表示する。また、メッセージの表示に加えて、音声による承認要求を報知してもよい。また、承認設定がされている操作ステップに到達した場合、実行制御部２７は、プラント１０の操作手順フロー６２を進行せずにその状態で待機する。
【００３８】
運転員が承認要求に応じて、例えば、クライアントタブレット４０の情報表示部４２に表示された「再開」ボタン６５を操作することにより、承認操作を行う（ステップＳｂ３）と、実行制御部２７は、操作ステップ６２Ｃの操作内容をプラント１０の制御装置１１に指示し（ステップＳａ５）、指示された制御装置１１は、この操作内容を実行する（ステップＳｃ１）。
【００３９】
以上、説明したように、本実施形態に係るプラントの運転ナビゲーションシステム１００によれば、プラント１０を制御する制御装置１１と、制御装置１１を介してプラント１０を一括に制御するシステムサーバ２０と、システムサーバ２０と接続されると共に運転員が携帯可能なクライアントタブレット４０と、を備え、システムサーバ２０は、プラント１０の運転操作の手順を規定した運転手順書５０を記憶する手順書データ記憶部２９と、運転手順書５０に沿って、該運転手順書５０の各操作ステップ６２Ａ〜６２Ｃの処理を制御装置１１に実行させる実行制御部２７を備えるため、運転員がプラントの運転操作をする必要がなくなり、運転員の運転操作における負荷の軽減を図ることができる。さらに、本実施形態に係るプラントの運転ナビゲーションシステム１００によれば、システムサーバ２０は、実行中の操作ステップを含むプラント１０の運転状況をクライアントタブレット４０に表示させる表示制御部２８を備えるため、運転員はプラントの運転状況の監視に集中することができ、プラント運転の信頼性及び稼働率の向上を実現できる。さらに、従来のように、運転員が各プラント１０Ａ〜１０Ｃにそれぞれ専属でなくても運転が可能となるため、１人の運転員が複数のプラント１０の運転を監視することができ、人員の低減を図ることができる。
【００４０】
また、本実施形態によれば、システムサーバ２０は、運転手順書５０の操作ステップ６２Ａ〜６２Ｃの処理を実行する際に、運転員の承認を要するか否かを設定する承認設定部２３を備え、運転手順書５０の手順が承認を要する操作ステップ６２Ｃに到達した場合、表示制御部２８は、クライアントタブレット４０に、少なくとも該操作ステップ６２Ｃを表示させると共に、運転員に承認を促す案内表示を行うため、重要な操作ステップ６２Ｃに関しては、運転員の承認を要することで、該操作ステップ６２Ｃの確認を確実に行うことができ、ひいてはプラントの自動運転を安全に実行できる。
【００４１】
また、本実施形態によれば、実行制御部２７は、運転員が承認を行った場合、該操作ステップ６２Ｃの処理を制御装置１１に実行させるため、運転員は確認した上で、承認を行うだけでよく、運転員の運転操作における負荷の軽減を図ることができる。
【００４２】
また、本実施形態によれば、システムサーバ２０は、プラント１０の運転に関する各種情報を制御装置１１から取得する情報取得部２４と、取得した情報を用いて報告書を作成する報告書作成部２５と、を備えるため、運転報告書や帳票の作成を容易に行うことができる。
【００４３】
以上、本発明の一実施形態を説明したが、本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態では、情報表示部４２に表示される運転手順書５０の一例を示したが、表示項目や配置構成など適宜に変更しても良いことは勿論である。
【００４４】
また、本実施形態では、制御装置１１とシステムサーバ２０とをサーバ計算機１２を介して接続しているが、このサーバ計算機１２と同様の機能をシステムサーバが備えた構成としてもよい。
【符号の説明】
【００４５】
１０、１０Ａ、１０Ｂ、１０Ｃ  プラント
１１、１１Ａ、１１Ｂ、１１Ｃ  制御装置
２０  システムサーバ（全体制御装置）
２２  制御部
２３  承認設定部
２４  情報取得部
２５  報告書作成部
２７  実行制御部（実行部）
２８  表示制御部
２９  手順書データ記憶部（記憶部）
３０  運転データ記憶部
４０  クライアントタブレット（情報端末装置）
４２  情報表示部
５０  運転手順書
６２  操作手順フロー
６２Ａ、６２Ｂ、６２Ｃ  操作ステップ
１００  運転ナビゲーションシステム（運転支援システム）
【図１】
2017162259.tif 000003
【図２】
2017162259.tif 000004
【図３】
2017162259.tif 000005